(57)【要約】【課題】２つのＡＤＣ／ＯＦＤＭ系統を備える方式に比べて、部品点数を削減してコストダウンを図ることができ、しかも応答速度の高速化と受信品質の改善を図ること。【解決手段】複数のアンテナから出力される各パスの高周波信号に対して重付けする第１及び第２のＡＧＣ増幅器３１ａ、３１ｂと、これら重付けした複数の高周波信号を合成する合成部３２と、合成した合成信号をデジタル信号に変換して復調するＡＤＣ／復調回路４１とを備えるダイバシティ受信装置において、各高周波信号のそれぞれについて希望波の信号成分とノイズ成分とを検出し、高周波信号の希望波の信号成分とノイズ成分とで表わされる品質値に基づいて、該品質値が高い方の高周波信号の重付けを増大すると共に品質値が低い方の高周波信号の重付けを減少するように、第１及び第２のＡＧＣ増幅器３１ａ、３１ｂ間で重付けに差を付与する重み演算回路３５とを具備する。【選択図】図１
2010213163.tif 000002
【特許請求の範囲】
【請求項１】
複数のアンテナから出力される高周波信号に対して重付けする第１及び第２の重付け手段と、
前記第１及び第２の重付け手段で重付けした複数の高周波信号を合成する合成手段と、
前記合成手段で合成した合成信号をデジタル信号に変換して復調する復調手段と、
前記各高周波信号のそれぞれについて希望波の信号成分とノイズ成分とを検出する検出手段と、
前記高周波信号の希望波の信号成分とノイズ成分とで表わされる品質値に基づいて、該品質値が高い方の高周波信号の重付けを増大すると共に品質値が低い方の高周波信号の重付けを減少するように、前記第１重付け手段と前記第２の重付け手段との間で重付けに差を付与する差分重付け制御手段と、
を具備することを特徴とするダイバシティ受信装置。
【請求項２】
前記復調手段に入力する合成信号の信号レベルが所望値となるように前記第１及び第２の重付け手段に対する重付け量を制御する重付け制御手段を備え、
前記差分重付け制御手段は、前記重付け制御手段から出力される重付け量を基準にして前記第１の重付け手段と前記第２の重付け手段との間で重付けに差を付与することを特徴とする請求項１記載のダイバシティ受信装置。
【請求項３】
前記差分重付け制御手段は、前記高周波信号毎に希望波の信号成分とノイズ成分とで表わされる品質値を演算する第１の手段と、前記品質値の大小関係に基づいて前記第１の重付け手段と前記第２の重付け手段とに与える重付け量に差を付与するための制御量を演算する第２の手段と、前記重付け制御手段から出力される重付けと前記第２の手段から出力される制御量との和を出力する加算部と、前記重付け制御手段から出力される重付け量と前記第２の手段から出力される制御量との差を出力する減算部と、を具備したことを特徴とする請求項２記載のダイバシティ受信装置。
【請求項４】
前記第１及び第２の重付け手段の入力段に、複数の高周波信号のそれぞれの位相を同期させる位相制御手段を備えたことを特徴とする請求項１から請求項３のいずれかに記載のダイバシティ受信装置。
【請求項５】
前記検出手段は、前記第１及び第２の重付け手段より前段で前記各高周波信号を取り込むことを特徴とする請求項１から請求項４のいずれかに記載のダイバシティ受信装置。
【請求項６】
前記高周波信号はテレビジョンチューナから出力されるテレビジョン信号の中間周波信号であり、前記第１及び第２の重付け手段はＡＧＣ増幅器であることを特徴とする請求項１から請求項５のいずれかに記載のダイバシティ受信装置。
【発明の詳細な説明】
【技術分野】
【０００１】
本発明は、複数のアンテナで電波を受信して信号合成するダイバシティ受信装置に関する。
【背景技術】
【０００２】
従来、受信感度を向上させるために複数本のアンテナを用いて多方面から電波を受信して合成するダイバシティ受信装置がある。例えば、車載用途の地上デジタル放送用４ダイバシティ対応のテレビジョンチューナが市場に提供されている。
【０００３】
図２は従来のダイバシティ受信装置の概略的な構成図であり、２ダイバシティ対応のテレビジョンチューナ構成を示している。同図に示すダイバシティ受信装置は、２つの受信系統に対応して２つのテレビジョンチューナ１０ａ、１０ｂが並列に設けられている。各テレビジョンチューナ１０ａ、１０ｂの出力段にはＳＡＷフィルタ１１ａ、１１ｂ、ＡＧＣ増幅器１２ａ、１２ｂを経由して復調回路２０が接続されている。復調回路２０は、ＯＦＤＭ方式の復調回路を集積回路で構成したものが例示されている。復調回路２０は、２つの受信系統に対応してＡＤＣ／ＯＦＤＭが２系統構成されている。各系統のＡＤＣ／復調部２１ａ、２１ｂは、ＩＦ信号をデジタル信号に変換し、ＯＦＤＭシンボルのタイミング検出を行い、送信信号の変調方式に対応した方式（ＱＡＭ）で信号復調する。それぞれの系統において信号レベル（絶対値）に応じて、ゲインコントロール回路２２ａ、２２ｂがＡＧＣ増幅器１２ａ、１２ｂのゲインを制御する。
【０００４】
また、ＡＤＣ／復調部２１ａ、２１ｂから出力される信号は、それぞれＦＦＴ回路２３ａ、２３ｂに入力されて高速フーリエ変換され、サブキャリアが一括して復調される。伝送路推定部２４ａ、２４ｂではＣＰ（Ｃｏｎｔｉｎｕａｌ  Ｐｉｌｏｔ）とＳＰ（Ｓｃａｔｔｅｒｅｄ  Ｐｉｌｏｔ）信号を使いサブキャリア毎に伝送路で歪んだ位相及び振幅を推定する。重付け演算部２５では、伝送路推定部２４ａ、２４ｂで推定した伝送路毎の位相及び振幅に所定アルゴリズムに従って重付け因子を算出する。等化部２６ａ、２６ｂは、サブキャリア毎に位相及び振幅の等化処理を行う。そして、等化部２６ａ、２６ｂで等化処理した異なる系統の信号を更に重付け演算部２５で算出された重み付け因子を掛け、合成部２７で合成する。合成した受信信号はエラー訂正部２８を経てトランスポートストリーム（ＴＳ）として出力される。
【先行技術文献】
【特許文献】
【０００５】
【特許文献１】特開２００６−１０１２４５号公報
【発明の概要】
【発明が解決しようとする課題】
【０００６】
しかしながら、上述したダイバシティ受信装置は、２つの受信系統に対応してＡＤＣ／ＯＦＤＭが２系統で構成されているので、部品点数が増大してコストアップになる問題がある。また、従来のダイバシティ受信装置は、ノイズの大小によらずに信号レベル（ノイズ成分を含んだ絶対値）に応じてＩＦ信号を増幅してＡＤ変換し、その後にデータ領域において伝送路推定結果に基づいて重み演算し、重付けしてからデータ合成するので、応答速度が遅くなると共に受信品質も十分ではなかった。
【０００７】
本発明は、かかる点に鑑みてなされたものであり、２つのＡＤＣ／ＯＦＤＭ系統を備える方式に比べて部品点数を削減してコストダウンを図ることができ、しかも応答速度の高速化と受信品質の改善を図ることのできるダイバシティ受信装置を提供することを目的とする。
【課題を解決するための手段】
【０００８】
本発明のダイバシティ受信装置は、複数のアンテナから出力される高周波信号に対して重付けする第１及び第２の重付け手段と、前記第１及び第２の重付け手段で重付けした複数の高周波信号を合成する合成手段と、前記合成手段で合成した合成信号をデジタル信号に変換して復調する復調手段と、前記各高周波信号のそれぞれについて希望波の信号成分とノイズ成分とを検出する検出手段と、前記高周波信号の希望波の信号成分とノイズ成分とで表わされる品質値に基づいて、該品質値が高い方の高周波信号の重付けを増大すると共に品質値が低い方の高周波信号の重付けを減少するように、前記第１の重付け手段と前記第２の重付け手段との間で重付けに差を付与する差分重付け制御手段とを具備することを特徴とする。
【０００９】
この構成によれば、アナログの受信信号をデジタル信号に変換して復調する復調手段の前段で、高周波信号に重付けして合成しているので、２つの受信系統に対してＡＤＣ／ＯＦＤＭ系統は１系統で対応することができ、２つのＡＤＣ／ＯＦＤＭ系統を備える方式に比べて部品点数を削減してコストダウンを図ることができる。
【００１０】
また、各パスの品質値をリアルタイムで検出して制御量を演算し、重付け及び合成を行うので、デジタル領域でプロセッサの能力に依存した処理速度に規制される従来方式に比べて処理の高速化を図ることができる。
【００１１】
また、高周波信号の希望波の信号成分とノイズ成分とで表わされる品質値に基づいて、該品質値が高い方の高周波信号の重付けを増大すると共に品質値が低い方の高周波信号の重付けを減少するように重付け手段間で重付けに差が付与されるので、ノイズ成分も増幅してから復号ＩＣ内で重付けする従来方式に比べて受信品質の改善を図ることができる。
【００１２】
また本発明は、上記ダイバシティ受信装置において、前記復調手段に入力する合成信号の信号レベルが所望値となるように前記第１及び第２の重付け手段に対する重付け量を制御する重付け制御手段を備え、前記差分重付け制御手段は、前記重付け制御手段から出力される重付け量を基準にして前記第１重付け手段と前記第２の重付け手段との間で重付けに差を付与することを特徴とする。
【００１３】
この構成によれば、復調手段に入力する合成信号の信号レベルが所望値となるように前記第１及び第２の重付け手段に対する重付け量を制御し、この重付け量を基準として品質値が高い方の高周波信号の重付けを増大すると共に品質値が低い方の高周波信号の重付けを減少するので、アナログ領域で重付け及び合成を行っていても、復調手段に入力する合成信号の信号レベルを所望値に制御することができ、安定性を実現できる。
【００１４】
上記ダイバシティ受信装置において、前記差分重付け制御手段は、前記高周波信号毎に希望波の信号成分とノイズ成分とで表わされる品質値を演算する第１の手段と、前記品質値の大小関係に基づいて前記第１の重付け手段と前記第２の重付け手段とに与える重付け量に差を付与するための制御量を演算する第２の手段と、前記重付け制御手段から出力される重付けと前記第２の手段から出力される制御量との和を出力する加算部と、前記重付け制御手段から出力される重付け量と前記第２の手段から出力される制御量との差を出力する減算部と、を具備した構成とすることができる。
【００１５】
また、上記ダイバシティ受信装置において、前記第１及び第２の重付け手段の入力段に、複数の高周波信号のそれぞれの位相を同期させる位相制御手段を備えることが望ましい。
これにより、重付けされた複数の高周波信号の合成が容易になると共に信号品質を向上させることができる。
【００１６】
また、上記ダイバシティ受信装置において、前記検出手段は、前記第１及び第２の重付け手段より前段で前記各高周波信号を取り込むことが望ましい。
【００１７】
また、上記ダイバシティ受信装置において、前記高周波信号はテレビジョンチューナから出力されるテレビジョン信号の中間周波信号であり、前記第１及び第２の重付け手段はチューナ内蔵のＡＧＣ増幅器であることとすることができる。
【発明の効果】
【００１８】
本発明のダイバシティ受信装置によれば、２つのＡＤＣ／ＯＦＤＭ系統を備える方式に比べて、部品点数を削減してコストダウンを図ることができ、しかも応答速度の高速化と受信品質の改善を図ることができる。
【図面の簡単な説明】
【００１９】
【図１】本発明の一実施の形態に係るダイバシティ受信装置の構成図
【図２】従来のダイバシティ受信装置の構成図
【発明を実施するための形態】
【００２０】
以下、本発明の実施の形態について添付図面を参照して詳細に説明する。
車載用地上デジタル放送用受信機におけるダイバシティ受信装置の実施の形態を説明するが、本発明は車載用地上デジタル放送用受信機に限定されるものではない。
【００２１】
図１は本発明の一実施の形態に係るダイバシティ受信装置の構成図である。
同図に示すように、本実施の形態に係るダイバシティ受信装置は、２つの受信系統（第１のパス、第２のパス）に対応して２つのテレビジョンチューナ１０ａ、１０ｂが並列に設けられている。チューナ１０ａ、１０ｂは受信チャンネルのＲＦ信号をＩＦ信号に周波数変換して出力する。チューナ１０ａ、１０ｂの出力段にはＩＦ帯域を通過帯域とするＳＡＷフィルタ１１ａ、１１ｂが接続されている。ＳＡＷフィルタ１１ａ、１１ｂの出力段に位相同期回路１３が接続されている。位相同期回路１３は、第１のパスと第２のパスの信号位相を同期（揃える）させるための回路である。本実施の形態はＩＦ帯域において第１のパスと第２のパスの信号を合成するため、事前に位相同期回路１３で位相同期させている。位相同期回路１３の出力段には、高周波領域（本例ではＩＦ帯）で各パスの重付け及び信号合成する重付け／合成ブロック３０が接続され、重付け／合成ブロック３０の後段にＡＤＣ／ＯＦＤＭ系統が１系統だけ備えられている。
【００２２】
位相同期回路１３の第１のパスの出力端子に第１の重付け手段となる第１のＡＧＣ増幅器３１ａが接続され、位相同期回路１３の第２のパスの出力端子に第２の重付け手段となる第２のＡＧＣ増幅器３１ｂが接続されている。第１及び第２のＡＧＣ増幅器３１ａ、３１ｂは、各パスの信号レベル絶対値によってゲインコントロールされるのではなく、各パスの品質値に応じてゲインコントロールされる。そして、第１及び第２のＡＧＣ増幅器３１ａ、３１ｂでゲインコントロールされた信号を合成部３２で合成する。このように、本実施の形態は、ＡＤＣ／ＯＦＤＭ系統においてデータ領域でダイバシティ合成するのではなく、高周波領域においてダイバシティ合成している。
【００２３】
本実施の形態のダイバシティ受信装置は、第１のパスのＩＦ信号から希望波の信号成分を抽出する信号抽出フィルタ３３ａと、第１のパスのＩＦ信号に含まれるノイズ成分に相当する信号成分を抽出するノイズ抽出フィルタ３４ａとを備える。信号抽出フィルタ３３ａは、希望波の信号レベルが最も大きいと予測されるＩＦ帯域の中心周波数の信号成分を抽出するフィルタ特性に設定されることが望ましい。ノイズ抽出フィルタ３４ａは、ＩＦ帯域の中心周波数から十分に離れた位置で希望波の影響が小さくなった周辺周波数の信号成分を抽出するフィルタ特性に設定されることが望ましい。ノイズ成分は広範囲に拡散して重畳しており、ＩＦ帯域の中心周波数近傍のノイズレベルとその中心周波数から十分に離れた位置のノイズレベルとは比例関係があると予測される。そこで、希望波が最も大きい中心周波数から十分に離れた位置で、ノイズ信号だけを精度よく検出することとした。
【００２４】
また、第２のパスのＩＦ信号から当該ＩＦ帯域の信号成分を抽出する信号抽出フィルタ３３ｂと、第２のパスのＩＦ信号に含まれるノイズ成分に相当する信号成分を抽出するノイズ抽出フィルタ３４ｂとを備える。信号抽出フィルタ３３ｂ及びノイズ抽出フィルタ３４ｂの周波数特性は、第１のパスに設けた信号抽出フィルタ３３ａ及びノイズ抽出フィルタ３４ａの周波数特性と同じである。信号抽出フィルタ３３ａ、３３ｂ及びノイズ抽出フィルタ３４ａ、３４ｂで検出手段を構成する。
【００２５】
信号抽出フィルタ３３ａ及びノイズ抽出フィルタ３４ａ、信号抽出フィルタ３３ｂ及びノイズ抽出フィルタ３４ｂの検出信号は重み演算回路３５へ入力される。重み演算回路３５は、第１のパスにおける希望波検出値（Ｓａ）とノイズ成分検出値（Ｎａ）とから第１のパスの品質値となるＳａ／Ｎａ値を求める。第２のパスについても、第２のパスにおける希望波検出値（Ｓｂ）とノイズ成分検出値（Ｎｂ）とから第２のパスの品質値となるＳｂ／Ｎｂ値を求める。Ｓａ／Ｎａ値及びＳｂ／Ｎｂ値に基づいて第１のパス及び第２のパスに対する重みとなる制御量Ｗを決定する。具体的には、第１のパスのＳａ／Ｎａ値が第２のパスのＳｂ／Ｎｂ値よりも高い数値であれば、第１のパスのＩＦ信号のゲインが大きく、相対的に第２のパスのＩＦ信号に対するゲインが小さくなるような重みとなる制御量Ｗを決定する。逆に第１のパスのＳａ／Ｎａ値が第２のパスのＳｂ／Ｎｂ値よりも低い数値であれば、第１のパスのＩＦ信号のゲインが小さく、相対的に第２のパスのＩＦ信号に対するゲインが大きくなるような重みとなる制御量Ｗを決定する。このとき、Ｓａ／Ｎａ値とＳｂ／Ｎｂ値の相対的な大きさに応じて制御量Ｗの大きさも変化させることが望ましい。また、Ｓａ／Ｎａ値とＳｂ／Ｎｂ値とが同一（完全一致だけでなく所定の範囲を持っていても良い）の場合、制御量Ｗは０とする。
【００２６】
重み演算回路３５で演算した第２のパスに対する制御量Ｗは加算器３６へ与えられ、加算器３６でゲインコントロール回路４６から与えられるゲイン制御量と加算されて、第２のパスのＡＧＣ増幅器３１ｂへ出力される。一方、重み演算回路３５で演算した第１のパスに対する制御量Ｗは減算器３７へ与えられ、減算器３７でゲインコントロール回路４６から与えられるゲイン制御量を制御量Ｗで減算して、第１のパスのＡＧＣ増幅器３１ａへ出力される。すなわち、ＡＧＣ増幅器３１ａ、３１ｂに対して、制御量Ｗによって差を付けたゲイン制御量に変換して出力している。
【００２７】
合成部３２で合成した受信信号は、上記した通り１系統のＡＤＣ／復調部４１へ入力される。ＡＤＣ／復調部４１は、合成部３２から出力される合成ＩＦ信号をデジタル信号に変換し、合成ＩＦ信号の信号レベルをゲインコントロール回路４６へ出力する。ゲインコントロール回路４６は、ＡＤＣのダイナミックレンジに対応した信号レベルに制御するゲイン制御量を計算する。従来方式（図２）では、第１のパスと第２のパスとで別々にゲイン制御量を計算しているが、本実施の形態では２つのパスの合成信号を扱うので、ＡＤＣ／復調部４１の入力レベルを決める１つのゲイン制御量が決められる。ゲインコントロール回路４６は、合成部３２から与えられるゲイン制御量を加算器３６及び減算器３７へ出力する。
【００２８】
またＡＤＣ／復調部４１は、合成信号からＯＦＤＭシンボルのタイミング検出を行い、送信信号の変調方式に対応した方式（ＱＡＭ）で信号復調する。復調信号は、ＦＦＴ回路４２に入力されて高速フーリエ変換され、サブキャリアが一括して復調される。さらに、伝送路推定部４３ではサブキャリア毎に伝送路で歪んだ位相及び振幅を推定し、等化部４４でサブキャリア毎の位相及び振幅を用いてチャネル等化処理を行う。そして、等化部４４で等化処理した受信信号はエラー訂正部４５を経てトランスポートストリーム（ＴＳ）として出力される。
【００２９】
以上のように構成されたダイバシティ受信装置における動作について説明する。
第１のパス及び第２のパスに設けられたテレビジョンチューナ１０ａ、１０ｂから出力された２つのＩＦ信号はＳＡＷフィルタ１１ａ、１１ｂで希望波信号以外が除去され、位相同期回路１３に入力して第１のパスと第２のパスのＩＦ信号の位相同期がとられる。位相同期した第１のパスのＩＦ信号は第１のＡＧＣ増幅器３１ａに入力され、第２パスのＩＦ信号は第２のＡＧＣ増幅器３１ｂに入力される。第１及び第２のＡＧＣ増幅器３１ａ、３１ｂは与えられるゲイン制御量にしたがってＩＦ信号を増幅して合成部３２へ出力する。合成部３２では第１及び第２のパスのゲイン制御されたＩＦ信号を合成してＡＤＣ／復調回路４１へ出力する。ゲインコントロール回路４６では、ＡＤＣ／復調回路４１へ入力する合成信号のピーク値が所望値になるようにゲイン制御量を計算して加算器３６、減算器３７へ与える。
【００３０】
一方、位相同期した第１のパスのＩＦ信号は、第１のＡＧＣ増幅器３１ａに前段で分岐されて信号抽出フィルタ３３ａとノイズ抽出フィルタ３４ａに入力する。信号抽出フィルタ３３ａは第１のパスのＩＦ信号から希望波の信号成分Ｓａを抽出し、ノイズ抽出フィルタ３４ａは第１のパスのＩＦ信号から希望波から離れた位置からノイズ成分Ｎａを抽出し、希望波の信号成分Ｓａ及びノイズ成分Ｎａが重み演算回路３５へ入力される。一方、位相同期した第２のパスのＩＦ信号は、第２のＡＧＣ増幅器３１ｂに入力されると共に、第２のＡＧＣ増幅器３１ｂに前段で分岐されて信号抽出フィルタ３３ｂとノイズ抽出フィルタ３４ｂに入力する。信号抽出フィルタ３３ｂ及びノイズ抽出フィルタ３４ｂで抽出された第２のパスの希望波の信号成分Ｓｂ及びノイズ成分Ｎｂが重み演算回路３５へ入力される。
【００３１】
重み演算回路３５では、第１のパスのＩＦ信号における希望波の信号成分Ｓａとノイズ成分Ｎａとで表わされる品質値（Ｓａ／Ｎａ）を計算する。また、第２のパスのＩＦ信号における希望波の信号成分Ｓｂとノイズ成分Ｎｂとで表わされる品質値（Ｓｂ／Ｎｂ）を計算する。第１のパスの品質値（Ｓａ／Ｎａ）と第２のパスの品質値（Ｓｂ／Ｎｂ）との差が同等とみなせる所定範囲内であれば、加算器３６及び減算器３７へ出力する制御量Ｗは０又は実質的にパス間での差を与えない固定値とする。
【００３２】
これにより、第１のパスと第２のパスの品質値が同等の場合は、重み演算回路３５が制御量Ｗを最小値に設定するので、第１のＡＧＣ増幅器３１ａ及び第２のＡＧＣ増幅器３１ｂはゲインコントロール回路４６から与えられるゲイン制御量を修正することなく当該ゲイン制御量によりゲイン制御される。第１のパスと第２のパスの品質値が同等であれば、ＡＤＣ／復調回路４１の入力レベルがピーク値となるように制御したゲイン制御量で重付けすることで最もノイズ成分を抑制し、かつ信号成分を増大させるダイバシティ合成が可能となる。
【００３３】
また重み演算回路３５は、第１のパスの品質値（Ｓａ／Ｎａ）の方が第２のパスの品質値（Ｓｂ／Ｎｂ）よりも高い場合、第１のＡＧＣ増幅器３１ａ（第１のパス）の重付け（ゲイン）が、第２のＡＧＣ増幅器３１ｂ（第２のパス）の重付け（ゲイン）よりも大きくなるような制御量Ｗを演算して加算器３６及び減算器３７へ出力する。逆に、第１のパスの品質値（Ｓａ／Ｎａ）の方が第２のパスの品質値（Ｓｂ／Ｎｂ）よりも低い場合、第１のＡＧＣ増幅器３１ａ（第１のパス）の重付け（ゲイン）が、第２のＡＧＣ増幅器３１ｂ（第２のパス）の重付け（ゲイン）よりも小さくなるような制御量Ｗを演算して加算器３６及び減算器３７へ出力する。たとえば、第１のパスの品質値（Ｓａ／Ｎａ）の方が第２のパスの品質値（Ｓｂ／Ｎｂ）よりも高い場合には、小さい制御量Ｗを出力する。第１のＡＧＣ増幅器３１ａ（第１のパス）は、減算器３７でゲイン制御量から制御量Ｗを減算した値が修正後のゲイン制御量（重付け）となるので、制御量Ｗが小さいほどゲイン制御量が大きくなり、第１のパスの重み付けが大きくなる。これに対して第２のＡＧＣ増幅器３１ｂ（第２のパス）は、加算器３６でゲイン制御量に制御量Ｗを加算した値が修正後のゲイン制御量（重付け）となるので、制御量Ｗが小さいほどゲイン制御量が小さくなり、第２のパスの重み付けが小さくなる。この結果、品質値の高い側のパスの重付けが大きくなり、相対的に品質値の低い側のパスの重付けが小さくなり、かかる重み付け制御がなされた第１及び第２のＡＧＣ増幅器３１ａ、３１ｂの出力信号が合成される。
【００３４】
しかも本実施の形態では、第１のパスの品質値（Ｓａ／Ｎａ）と第２のパスの品質値（Ｓｂ／Ｎｂ）との差に応じて、品質値の高い側のパスの重付けがより大きくなり、品質値の低い側のパスの重付けがより小さくなるように制御量Ｗを演算する。これにより、ノイズ成分が大きく信号成分が小さいパスのＩＦ信号は第１又は第２のＡＧＣ増幅器３１ａ、３１ｂでの増幅率が抑制され、ノイズ成分が小さく信号成分が大きいパスのＩＦ信号は第１又は第２のＡＧＣ増幅器３１ａ、３１ｂでの増幅率がより大きくなる。よって、ダイバシティ合成する信号のノイズ成分を抑圧して希望波成分を増大でき、従来方式に比べて受信品質を改善することができる。
【００３５】
また、本実施の形態では、ゲインコントロール回路４６の出力するゲイン制御量を基準にして、重み演算回路３５の出力する制御量Ｗでパス間の重み付けに差を付与する。ゲインコントロール回路４６は合成部３２の入力レベルを一定値（ピーク値）に安定させるように機能するので、ＡＤＣ／復調回路４１の入力信号レベルを最適値に維持することができる。
【００３６】
以上のように本実施の形態によれば、テレビジョンチューナ１０ａ、１０ｂの出力信号である第１及び第２のパスのＩＦ信号を高周波信号のまま重み付けし合成してからＡＤＣ／復調回路４１へ入力するので、従来方式のようにデジタル変換後に重み付け処理する場合に比べて各パスの信号に対する重み付け処理を高速化することができる。しかも、ＡＤＣ／ＯＦＤＭ系統を１系統にする削減することができ、２つのＡＤＣ／ＯＦＤＭ系統を備える方式に比べて、部品点数を削減してコストダウンを図ることができる。
【００３７】
なお、本発明はＩＦ領域においてダイバシティ合成する場合に限定されるものではなく、ＲＦ領域においてダイバシティ合成する場合にも適用可能である。
【００３８】
尚、上記説明は、ダイバシティシステムが２系統構成である例として説明してきたが、４系統、多系統構成にも有効である。また、ノイズ抽出ＦｉｌｔｅｒはＳＡＷ  Ｆｉｌｔｅｒの後であることを例に上げられていたが、ノイズを抽出しやすくため、ＳＡＷ  Ｆｉｌｔｅｒの前に設置しても可能である。
【符号の説明】
【００３９】
１０ａ、１０ｂ  テレビジョンチューナ
１１ａ、１１ｂ  ＳＡＷフィルタ
１３  位相同期回路
３１ａ  第１のＡＧＣ増幅器
３１ｂ  第２のＡＧＣ増幅器
３２  合成部
３３ａ、３３ｂ  信号抽出フィルタ
３４ａ、３４ｂ  ノイズ抽出フィルタ
３５  重み演算回路
３６  加算器
３７  減算器
４１  ＡＤＣ／復調部
４２  ＦＦＴ回路
４３  伝送路推定部
４４  等化部
４５  エラー訂正部
４６  ゲインコントロール回路
【図１】
2010213163.tif 000003
【図２】
2010213163.tif 000004